(57)【要約】【課題】電気機器を使用するユーザの省エネに対する関心を継続的に高めることが可能な、電力量情報の表示に関する技術を提供する。【解決手段】表示装置は、表示部と、表示部に、カレンダーを表示させる制御部とを備える。カレンダーの日付を表示するための表示部の表示領域は、その日付における電気機器の節電の実績を表す実績情報を表す態様で表示される。１つの実施形態において、表示領域の背景色が、実績情報に対応した色に設定される。【選択図】図６
2014052943.tif 000002
【特許請求の範囲】
【請求項１】
少なくとも１つの電気機器の電力消費に関する情報を表示する表示装置であって、
表示部と、
前記表示部に、カレンダーを表示させる制御部とを備え、
前記制御部は、前記カレンダーによって表示される複数の日付の各々における、前記電気機器の節電の実績を表す実績情報を取得して、前記カレンダーの前記複数の日付の各々を表示するための前記表示部の表示領域を、前記実績情報を表す態様で前記表示部に表示させる、表示装置。
【請求項２】
前記制御部は、前記表示部の前記表示領域を、前記実績情報に対応付けられた背景色で表示する、請求項１に記載の表示装置。
【請求項３】
前記実績情報は、前記電気機器の消費電力量の基準に対する、前記電気機器の実際の消費電力量の比率を示し、
前記制御部は、複数の背景色の中から前記比率と関連付けられた背景色を選択する、請求項２に記載の表示装置。
【請求項４】
前記制御部は、前記カレンダーに表示される日付の天気に関する天気情報を取得して、前記表示部の前記表示領域内に、前記天気情報を示すアイコンを表示させる、請求項１から３のいずれか１項に記載の表示装置。
【請求項５】
前記制御部は、前記日付を選択するためのユーザの操作を受付けて、選択された日付に関するユーザの記録である過去ログを、前記表示部に表示させる、請求項１から４のいずれか１項に記載の表示装置。
【請求項６】
前記過去ログは、前記選択された日付における電力量に関するデータと、前記選択された日付の天気に関する情報と、前記ユーザの行動に関する情報とを含む、請求項５に記載の表示装置。
【請求項７】
前記制御部は、前記カレンダーに表示される日付と関連付けられた前記過去ログが有る場合には、当該日付に対応する前記表示領域に、前記過去ログの存在を示すアイコンを表示する、請求項５または６に記載の表示装置。
【請求項８】
前記制御部は、複数の日付を選択するためのユーザの操作を受付けて、選択された日付における電力量に関するデータを、前記表示部に表示させる、請求項１から７のいずれか１項に記載の表示装置。
【請求項９】
前記制御部は、前記カレンダーを、前記表示部のホーム画面内に表示させる、請求項１から８のいずれか１項に記載の表示装置。
【請求項１０】
少なくとも１つの電気機器の電力消費に関する情報を管理する管理装置であって、
表示部と、
前記表示部に、カレンダーを表示させる制御部とを備え、
前記制御部は、前記カレンダーによって表示される複数の日付の各々における、前記電気機器の節電の実績を表す実績情報を取得して、前記カレンダーの前記複数の日付の各々を表示するための前記表示部の表示領域を、前記実績情報を表す態様で前記表示部に表示させる、管理装置。
【請求項１１】
カレンダーによって表示される期間を決定するステップと、
前記期間中の複数の日付の各々における少なくとも１つの電気機器の節電の実績を表す、実績情報を取得するステップと、
前記カレンダーを表示部に表示するステップとを備え、
前記表示するステップは、
前記カレンダーの前記複数の日付の各々に対応する前記表示部の表示領域を、前記実績情報を表す態様で表示するステップを含む、表示方法。
【請求項１２】
コンピュータに、
カレンダーによって表示される期間を決定するステップと、
前記期間中の複数の日付の各々における少なくとも１つの電気機器の節電の実績を表す、実績情報を取得するステップと、
前記カレンダーを表示部に表示するステップとを備え、
前記表示するステップは、
前記カレンダーの前記複数の日付の各々に対応する前記表示部の表示領域を、前記実績情報を表す態様で表示するステップを含む、処理を実行させる、プログラム。
【発明の詳細な説明】
【技術分野】
【０００１】
本発明は、少なくとも１つの電気機器における電力消費に関する電力情報を表示する表示装置、その電力情報を管理する管理装置、電力情報の表示方法、およびプログラムに関する。
【背景技術】
【０００２】
近年、環境保護あるいはエネルギー問題の観点から、家庭内で使用される電気機器（主として、家電機器）の省エネルギー（以下、「省エネ」とも称す。）意識を高める取り組みがなされている。省エネは、エネルギーを効率的に使用したり、余分なエネルギーの消費を抑えたりすることによって、エネルギーの消費量を低減しようとするものである。このような取り組みを支援するためのシステムとして、ＨＥＭＳ（Home Energy Management System：家庭内電力管理システム）が実用化されつつある。ＨＥＭＳを用いることで、家庭内の電力管理や電力制御をより容易に行なうことができる。
【０００３】
上記のシステムでは、まず、電気機器の消費電力が測定される。次に、その消費電力が装置に表示される。たとえば特開２０１０−１６９３１４号公報（特許文献１）は、エネルギー使用状況報知システム、およびそのシステムに用いられるリモコン装置を開示する。リモコン装置は、システム要素表示領域とエネルギー流表示領域とを有する。システム要素表示領域には、稼働中の各システム要素が表示される。エネルギー流表示領域には、稼働中の各システム要素間のエネルギー授受状態が表示される。
【先行技術文献】
【特許文献】
【０００４】
【特許文献１】特開２０１０−１６９３１４号公報
【発明の概要】
【発明が解決しようとする課題】
【０００５】
特開２０１０−１６９３１４号公報（特許文献１）によれば、システム要素の消費電力量は、棒グラフの形式でリモコン装置の画面に表示される。しかしながら、このグラフは、システム要素の１日間の消費電力量を示すものである。したがって、ユーザが過去の実績から自家の省エネの程度を把握することが難しい。
【０００６】
省エネを達成するためには、省エネに対するユーザの関心を持続させることが求められる。たとえば１週間あるいは１ヶ月間の消費電力量を棒グラフにより表示する場合には、その表示がユーザにとって単調に感じられる可能性がある。このため省エネに対するユーザの関心が低下することが懸念される。
【０００７】
本発明の目的は、電気機器を使用するユーザの省エネに対する関心を継続的に高めることが可能な、電力量情報の表示に関する技術を提供することである。
【課題を解決するための手段】
【０００８】
本発明のある局面に係る表示装置は、少なくとも１つの電気機器の電力消費に関する情報を表示する表示装置であって、表示部と、表示部に、カレンダーを表示させる制御部とを備える。制御部は、カレンダーによって表示される複数の日付の各々における、電気機器の節電の実績を表す実績情報を取得して、カレンダーの複数の日付の各々を表示するための表示部の表示領域を、実績情報を表す態様で表示部に表示させる。
【０００９】
好ましくは、制御部は、表示部の表示領域を、実績情報に対応付けられた背景色で表示する。
【００１０】
好ましくは、実績情報は、電気機器の消費電力量の基準に対する、電気機器の実際の消費電力量の比率を示す。制御部は、複数の背景色の中から比率と関連付けられた背景色を選択する。
【００１１】
好ましくは、制御部は、カレンダーに表示される日付の天気に関する天気情報を取得して、表示部の表示領域内に、天気情報を示すアイコンを表示させる。
【００１２】
好ましくは、制御部は、日付を選択するためのユーザの操作を受付けて、選択された日付に関するユーザの記録である過去ログを、表示部に表示させる。
【００１３】
好ましくは、過去ログは、選択された日付における電力量に関するデータと、選択された日付の天気に関する情報と、ユーザの行動に関する情報とを含む。
【００１４】
好ましくは、制御部は、カレンダーに表示される日付と関連付けられた過去ログが有る場合には、当該日付に対応する表示領域に、過去ログの存在を示すアイコンを表示する。
【００１５】
好ましくは、制御部は、複数の日付を選択するためのユーザの操作を受付けて、選択された日付における電力量に関するデータを、表示部に表示させる。
【００１６】
好ましくは、制御部は、カレンダーを、表示部のホーム画面内に表示させる。
本発明の他の局面に係る管理装置は、少なくとも１つの電気機器の電力消費に関する情報を管理する管理装置であって、表示部と、表示部に、カレンダーを表示させる制御部とを備える。制御部は、カレンダーによって表示される複数の日付の各々における、電気機器の節電の実績を表す実績情報を取得して、カレンダーの複数の日付の各々を表示するための表示部の表示領域を、実績情報を表す態様で表示部に表示させる。
【００１７】
本発明のさらに他の局面に係る表示方法は、カレンダーによって表示される期間を決定するステップと、期間中の複数の日付の各々における少なくとも１つの電気機器の節電の実績を表す、実績情報を取得するステップと、カレンダーを表示部に表示するステップとを備える。表示するステップは、カレンダーの複数の日付の各々に対応する表示部の表示領域を、実績情報を表す態様で表示するステップを含む。
【００１８】
本発明のさらに他の局面に係るプログラムは、コンピュータに、カレンダーによって表示される期間を決定するステップと、期間中の複数の日付の各々における少なくとも１つの電気機器の節電の実績を表す、実績情報を取得するステップと、カレンダーを表示部に表示するステップとを備え、表示するステップは、カレンダーの複数の日付の各々に対応する前記表示部の表示領域を、前記実績情報を表す態様で表示するステップを含む、処理を実行させる。
【発明の効果】
【００１９】
本発明によれば、電気機器を使用するユーザの省エネに対する関心を継続的に高めることができる。
【図面の簡単な説明】
【００２０】
【図１】本発明の実施の形態に従う電力システム１の全体構成を示す模式図である。
【図２】本発明の実施の形態に従う電力システム１の他の構成を示す模式図である。
【図３】本発明の実施の形態に従うホームコントローラ１００のハードウェア構成を示す模式図である。
【図４】本発明の実施の形態に従う測定器４００の外観図である。
【図５】本発明の実施の形態に従う測定器４００のハードウェア構成を示す模式図である。
【図６】実施の形態１に従う、ホームコントローラ１００の表示を説明する図である。
【図７】節電効果が高い場合のカレンダーの色分けパターンを示した図である。
【図８】節電効果が中程度の場合のカレンダーの色分けパターンを示した図である。
【図９】節電効果が低い程度の場合のカレンダーの色分けパターンを示した図である。
【図１０】ホームコントローラ１００の画面遷移を説明するための図である。
【図１１】過去ログの画面の一例を示した図である。
【図１２】複数の日付がユーザによって選択された場合の過去ログ画面の例を示した図である。
【図１３】行動ログ画面の一例を示した図である。
【図１４】スケジュール画面８００の一例を示した図である。
【図１５】スケジュール編集画面の例を示した図である。
【図１６】実施の形態１に従うホームコントローラ１００の表示処理を説明するフロー図である。
【図１７】図１６に示されたカレンダー表示処理について説明するフロー図である。
【図１８】実施の形態２に従う、ホームコントローラ１００の表示を説明する図である。
【図１９】実施の形態２に従うホーム画面５００の構成を説明した模式図である。
【図２０】実施の形態３に従う、ホームコントローラ１００の表示を説明する図である。
【発明を実施するための形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
本実施の形態に従う管理システムは、少なくとも１つの電気機器における電力消費に関する電力情報を管理する。なお、太陽光発電装置や燃料電池などを管理対象としてもよい。この場合には、本実施の形態に従う管理システムは、電力消費に関する情報に加えて、あるいは、電力消費に関する情報に代えて、電力発生に関する電力情報を管理してもよい。
【００２３】
本明細書において、電力情報は、対応の電気機器（電気器具）における電力消費／電力発生に係るさまざまな情報を含む概念を含む。
【００２４】
以下、家屋内で使用される１つまたは複数の電気機器を含む電力システムを一例として説明する。ただし本発明はこのような電力システムのみに適用されるものではない。すなわち、本発明は、電力消費に関する情報を表示するものであれば、どのような構成にも適用可能である。
【００２５】
本明細書において、電気機器は、外部から供給される電力によって動作する機器、および、何らかのエネルギーによって発電する機器のいずれをも含む概念である。家屋は、住宅およびオフィスなどを含む。
【００２６】
図１は、本発明の実施の形態に従う電力システム１の全体構成を示す模式図である。図１を参照して、本実施の形態に従う電力システム１は、住宅あるいはオフィスなどの家屋内に設置される。より具体的には、電力システム１は、電力を消費する電気機器として、複数の家電機器を含む。
【００２７】
図１には、これらに限られるものではないが、家電機器として、家屋内に設置されるエアコン（空気調和機）２００Ａ、テレビジョン２００Ｂ、電子レンジ２００Ｃ、冷蔵庫２００Ｄ、および照明器具２００Ｅ（これらを「電気機器２００」とも総称する。）などが図示されている。また、電力システム１は、電力を発生する電気機器としての太陽光発電装置２００Ｘ、および電力の蓄電／放電を行なう蓄電池２００Ｙを含む。蓄電池２００Ｙは、住宅などに設置されるものであってもよいし、自動車用の蓄電池を住宅用の蓄電池として兼用するものであってもよい。
【００２８】
さらに、電力システム１は、パワーコンディショナ２００Ｚを含む。パワーコンディショナ２００Ｚは、複数の家電機器、太陽光発電装置２００Ｘ、蓄電池２００Ｙ、および電力系統（電力会社が提供する商用電力など）と接続され、それぞれの電力を制御する。パワーコンディショナ２００Ｚは、太陽光発電装置２００Ｘからの発電電力、蓄電池２００Ｙとの間の充放電電力、電力系統からの購入電力を、効率の観点からバランスさせた上で、電力線４０２を介して電気機器２００へ電力を供給する。
【００２９】
さらに、電力システム１は、ホームコントローラ１００を含む。ホームコントローラ１００は、電気機器２００に関連付けられた測定器４００Ａ〜４００Ｅ、太陽光発電装置２００Ｘ、蓄電池２００Ｙ、およびパワーコンディショナ２００Ｚなどを監視および制御する。ホームコントローラ１００は、有線または無線のネットワーク４０１を介して、測定器４００Ａ〜４００Ｅ、太陽光発電装置２００Ｘ、蓄電池２００Ｙ、およびパワーコンディショナ２００Ｚなどとの間でデータ通信が可能である。
【００３０】
ネットワーク４０１としては、任意のものを利用することができる。有線のネットワークであれば、例えば、イーサネット（登録商標）、ＰＬＣ（Power Line Communications）などをネットワーク４０１に用いることができる。また、無線のネットワークであれば、例えば、ＩＥＥＥ８０２．１１規格に準拠する無線ＬＡＮ（Local Area Network）、ＺｉｇＢｅｅ（登録商標）、Ｂｌｕｅｔｏｏｔｈ（登録商標）、赤外線通信方式などをネットワーク４０１に用いることができる。さらに、複数の通信方式を組み合わせてもよい。
【００３１】
測定器４００は、いずれかの電気機器２００に関連付けられる。測定器４００は、当該関連付けられた電気機器２００における電力消費に関する情報を測定するとともに、その測定情報をホームコントローラ１００へ送信する。典型的には、測定器４００としては、電力線４０２と電気機器２００のプラグとの間に配置されて電力消費の状態を測定する消費電力測定装置が用いられる。
【００３２】
図１に示す例では、電力線４０２に５つの測定器４００Ａ〜４００Ｅが電気的に接続されている。測定器４００Ａには、エアコン２００Ａのプラグ２５０Ａが接続されている。測定器４００Ｂには、テレビジョン２００Ｂのプラグ２５０Ｂが接続されている。測定器４００Ｃには、電子レンジ２００Ｃのプラグ２５０Ｃが接続されている。測定器４００Ｄには、冷蔵庫２００Ｄのプラグ２５０Ｄが接続されている。測定器４００Ｅには、照明器具２００Ｅのプラグ２５０Ｅが接続されている。測定器４００Ａ〜４００Ｅは、それぞれ、エアコン２００Ａ、テレビジョン２００Ｂ、電子レンジ２００Ｃ、冷蔵庫２００Ｄ、照明器具２００Ｅにおける電力消費に関する電力情報を測定する。
【００３３】
ホームコントローラ１００は、各電気機器２００に関連付けられた測定器４００からそれぞれ送信される電力消費に関する測定情報を、ハードディスク１０９（図３参照）に格納する。
【００３４】
ホームコントローラ１００は、電力システム１における電力消費／発生の状態などをユーザに提示したり、ユーザから電力システム１における電力管理に関する指示を受け付けたりするような、ユーザインターフェイスを提供する。
【００３５】
また、ホームコントローラ１００は、ハードディスク１０９（図３参照）に格納される電力消費に関する測定情報などに基づいて、電力消費に関するグラフ等を表示することが可能である。ホームコントローラ１００は、ポータブル型であってもよいし、テーブル上に配置されたベースに対して着脱自在であってもよいし、部屋の壁などに固定されるものであってもよい。すなわちホームコントローラ１００は、本発明に係る表示装置を実現する。さらにホームコントローラ１００は、本発明に係る管理装置を実現することもできる。
【００３６】
一構成例においては、ホームコントローラ１００が、各測定器とデータ通信してデータを取得する。他の構成例によれば、図示しないデータを収集するサーバが外部に設けられる。当該サーバが各測定器とデータ通信してデータを蓄積する。ホームコントローラ１００が当該サーバに蓄積されたデータを取得する。外部にサーバを設けることにより、大容量を有する記憶装置にデータを蓄積することができ、好ましい。さらに、ネットワークを介してサーバからデータを読み出すことにより、データを様々に利用することができる。
【００３７】
図２は、本発明の実施の形態に従う電力システム１の他の構成を示す模式図である。図２に示した構成は、図１で説明した構成と比較して、中継器９００をさらに設けた点で異なる。図２に示した構成の他の点については、図１で説明した点と同様であるのでその詳細な説明は繰り返さない。
【００３８】
具体的には、中継器９００は有線または無線のネットワーク４０１を介して、電気機器２００に関連付けられた測定器４００Ａ〜４００Ｅ、太陽光発電装置２００Ｘ、蓄電池２００Ｙ、およびパワーコンディショナ２００Ｚなどとの間でデータ通信が可能である。ネットワーク４０１には、上記の有線あるいは無線のネットワークを用いることができる。複数の通信方式が組み合わされてもよい。
【００３９】
上記の構成によれば、各測定器４００Ａ〜４００Ｅから送信された測定情報を中継器９００に収集し、その後他の機器、例えばホームコントローラ１００に送信することが可能となる。つまり、各測定器４００Ａ〜４００Ｅで測定された測定情報は、中継器９００を介してホームコントローラ１００へ送信することが可能である。なお、中継器９００からホームコントローラ１００へ測定情報を送信する際に、中継器９００側で測定情報の処理を実行して、表示情報等に変換した情報をホームコントローラ１００へ送信することも可能である。
【００４０】
次に、電力システム１を構成する主要な装置のハードウェア構成について説明する。
＜ホームコントローラ１００＞
図３は、本発明の実施の形態に従うホームコントローラ１００のハードウェア構成を示す模式図である。
【００４１】
図３を参照して、ホームコントローラ１００は、ＣＰＵ（Central Processing Unit）１０１と、ディスプレイ１０３およびタブレット１０４を含むタッチパネル１０２と、操作ボタン１０５と、通信インターフェイス１０６と、出力インターフェイス１０７と、入力インターフェイス１０８と、ハードディスク１０９と、メモリ１１０と、スピーカ１１１とを含む。
【００４２】
ＣＰＵ１０１は、ホームコントローラ１００における全体処理を司る処理主体である。ＣＰＵ１０１は、メモリ１１０などに予め格納されたプログラムを実行することで、後述する各種機能を提供する。ＣＰＵ１０１は、タブレット１０４または操作ボタン１０５を通じて入力されたユーザ操作に応答して、当該ユーザ操作によって指示された処理を実行する。このような指示としては、電気機器２００に対する運転／停止に関する指示、パワーコンディショナ２００Ｚに対する制御モードの変更に関する指示、現在または過去の電力管理状態を表示する指示などを含む。
【００４３】
タッチパネル１０２は、ユーザインターフェイスを提供する装置である。タッチパネル１０２は、ＣＰＵ１０１からの命令に従って各種情報をユーザに提示するとともに、ユーザから入力された指示をＣＰＵ１０１へ出力する。より具体的には、ディスプレイ１０３は、例えば、ＬＣＤ（Liquid Crystal Display）あるいは有機ＥＬ（Electro Luminescence）ディスプレイなどからなり、その表示面に画像を表示する。なお、ディスプレイ１０３は、タッチパネル１０２は、カラーで画像を表示することができる。
【００４４】
タブレット１０４は、ユーザの指などによるタッチ操作を検出して、そのタッチ操作がなされた位置を示す座標値などをＣＰＵ１０１へ出力する。本実施の形態においては、ディスプレイ１０３の表示面に対応付けてタブレット１０４が設けられている。但し、ホームコントローラ１００は、必ずしもタッチパネルを含む必要はなく、ユーザに対して各種情報を提示できればよい。
【００４５】
本発明の実施の形態では、タッチパネル１０２は、表示部を実現する。ＣＰＵ１０１は、タッチパネル１０２にカレンダーを表示させる制御部を実現する。タッチパネル１０２に表示されるカレンダーについては、後に詳細に説明する。
【００４６】
操作ボタン１０５は、ユーザ操作を受け付けるための入力手段であり、典型的には、ホームコントローラ１００の表面に１つまたは複数が配置される。典型的に、操作ボタン１０５は、決定ボタン、戻りボタン、方向ボタン、テンキーなどの複数のボタンやキーを含む。操作ボタン１０５は、ユーザ操作を受け付けると、そのユーザ操作を示す情報をＣＰＵ１０１へ出力する。
【００４７】
通信インターフェイス１０６は、ＣＰＵ１０１からの命令に従って、データ格納装置３００、測定器４００、太陽光発電装置２００Ｘ、蓄電池２００Ｙ、およびパワーコンディショナ２００Ｚなどとの間でデータ通信を行なう。より具体的には、通信インターフェイス１０６は、上述したような、イーサネット（登録商標）、ＰＬＣ（Power Line Communications）、ＩＥＥＥ８０２．１１規格に準拠する無線ＬＡＮ（Local Area Network）、ＺｉｇＢｅｅ（登録商標）、Ｂｌｕｅｔｏｏｔｈ（登録商標）、赤外線通信方式などを利用する。
【００４８】
出力インターフェイス１０７は、ＣＰＵ１０１とディスプレイ１０３との間の内部コマンドの遣り取りを仲介する。入力インターフェイス１０８は、タブレット１０４および／または操作ボタン１０５とＣＰＵ１０１との間の内部コマンドの遣り取りを仲介する。
【００４９】
ハードディスク１０９は、ホームコントローラ１００での情報処理に必要な各種データを格納する。具体的な例として、ハードディスク１０９は、時間ごと、日ごとの電力情報（たとえば消費電力量のデータ）を格納する。さらにハードディスク１０９は、後述する過去ログ（行動ログを含む）画面に表示される情報、およびスケジュール画面に表示される情報を格納する。
【００５０】
メモリ１１０は、揮発性記憶装置であるＲＡＭ（Random Access Memory）および不揮発性記憶装置であるＲＯＭ（Read-Only Memory）などによって実現される。メモリ１１０は、ＣＰＵ１０１によって実行されるプログラムおよび、ＣＰＵ１０１によるプログラムの実行に必要なワークデータを格納する。
【００５１】
スピーカ１１１は、音声デバイスであり、ＣＰＵ１０１からの命令に従って音声を出力する。時計１１２は、計時手段であり、ＣＰＵ１０１からの命令に従って、現在の日付や時刻をＣＰＵ１０１へ応答する。
【００５２】
なお、ハードディスク１０９および／またはメモリ１１０といった記憶手段は、通信インターフェイスを介して接続される記憶媒体を用いて実現してもよい。このような記憶媒体としては、フラッシュメモリ、マスクＲＯＭ、ＥＰＲＯＭ（Electronically Programmable Read-Only Memory）、ＥＥＰＲＯＭ（Electronically Erasable Programmable Read-Only Memory）、ＩＣ（Integrated Circuit）カードなどの半導体記憶媒体、ＣＤ−ＲＯＭ（Compact Disc-Read Only Memory）やＤＶＤ−ＲＯＭ（Digital Versatile Disk-Read Only Memory）などの光学ディスク記憶媒体、ＭＯ（Magnetic Optical Disc）やＭＤ（Mini Disc）などの光磁気ディスク記憶媒体、ＦＤ（Flexible Disk）、磁気テープ、カセットテープなどの磁気記憶媒体を用いることができる。
【００５３】
ホームコントローラ１００における情報処理は、ＣＰＵ１０１が周辺のハードウェアコンポーネントと連係してプログラムを実行することで実現される。一般的には、このようなプログラムは、メモリ１１０などに予めインストールされる。
【００５４】
このようなプログラムは、任意の記憶媒体に格納されて流通することで提供されうる。あるいは、このようなプログラムは、インターネットなどに接続されているサーバ装置（または、他の装置）からのダウンロードによって提供されうる。すなわち、記憶媒体から格納されているプログラムが読み出されて、または、サーバ装置からダウンロードによりプログラムが取得されて、メモリ１１０などに一旦格納される。そして、ＣＰＵ１０１は、メモリ１１０に格納されたプログラムを実行可能な形式に展開した上で、当該プログラムを実行する。このようなプログラムを格納する記憶媒体としては、フラッシュメモリ、マスクＲＯＭ、ＥＰＲＯＭ、ＥＥＰＲＯＭ、ＩＣカードなどの半導体記憶媒体、ＣＤ−ＲＯＭやＤＶＤ−ＲＯＭなどの光学ディスク記憶媒体、ＭＯやＭＤなどの光磁気ディスク記憶媒体、ＦＤ、磁気テープ、カセットテープなどの磁気記憶媒体を用いることができる。
【００５５】
さらに、メモリ１１０などに予めプログラムをインストールするのではなく、別のシステムまたは装置に格納されているプログラムをＣＰＵ１０１が読み出して実行するようにしてもよい。したがって外部のサーバに電力情報に関する各種データ、ＣＰＵ１０１で実行されるプログラム等を格納させてもよい。
【００５６】
さらに、記憶媒体などから読み出されたプログラムが、コンピュータに装着された機能拡張ボードあるいは機能拡張ユニットに搭載されるメモリなどに書き込まれた後、当該プログラムに従って、当該機能拡張ボードあるいは機能拡張ユニットに搭載される演算部（ＣＰＵなど）が必要な処理の全部または一部を行なうことで、本実施の形態に従う機能を実現するようにしてもよい。
【００５７】
さらに、ＣＰＵ１０１がプログラムを実行することにより、本実施の形態に従うすべての機能を実現するだけでなく、プログラムに従って、コンピュータ上で実行されているＯＳ（オペレーティングシステム）などが必要な処理の全部または一部を行なうことで、本実施の形態に従う機能を実現するようにしてもよい。
【００５８】
上述のようなソフトウェアによって本実施の形態に従う機能を実現する場合には、記憶媒体などから読み出されたプログラム自体、または、当該プログラムを格納した記憶媒体が本発明の一形態を構成することになる。
【００５９】
なお、本明細書において、プログラムは、ＣＰＵ１０１により直接的に実行可能なプログラムだけではなく、ソースプログラム形式のプログラム、圧縮処理されたプログラム、および暗号化されたプログラムを含む。
【００６０】
＜測定器４００＞
図４は、本発明の実施の形態に従う測定器４００の外観図である。ここで、図４（ａ）には、測定器４００のソケット４００１を含む斜視図を示し、図４（ｂ）には、測定器４００の側面図を示し、図４（ｃ）には、測定器４００のプラグ４００２を含む斜視図を示す。
【００６１】
図４（ａ）〜図４（ｃ）を参照して、測定器４００は、電力線４０２を流れる電力を供給するためのソケットと電気機器２００のプラグとの間に介挿されるように配置される。より具体的には、図４（ａ）を参照して、測定器４００の表面４０５１には、プラグ差込用のソケット４００１が設けられている。一方、図４（ｂ）および図４（ｃ）を参照して、測定器４００の表面４０５１とは反対側の面である表面４０５３には、プラグ４００２が設けられている。ソケット４００１には、電気機器２００のプラグが差し込まれるとともに、プラグ４００２は、家屋内に設けられる電力線４０２を介して電力を供給するためのソケット（コンセント／アウトレット）に差し込まれる。
【００６２】
なお、測定器４００は、なるべく薄い方が好ましいので、側面４０５２の厚さは可能な限り小さく設計される。
【００６３】
測定器４００の表面４０５１には、さらに、ＬＥＤ４０４１および設定ボタン４０４２が設けられている。ＬＥＤ４０４１は、測定器４００におけるデータ処理状態を表示する。より具体的には、ＬＥＤ４０４１は、データ処理状態に応じて、点灯の有無、点滅の有無／周期、発光色などを異ならせる。設定ボタン４０４２は、ユーザ操作を受け付けるための入力手段であり、ユーザによって操作されると、測定器４００における初期設定などが開始される。
【００６４】
図５は、本発明の実施の形態に従う測定器４００のハードウェア構成を示す模式図である。
【００６５】
図５を参照して、測定器４００は、ソケット４００１、プラグ４００２、ＬＥＤ４０４１、および設定ボタン４０４２に加えて、ソケット４００１とプラグ４００２とを電気的に接続する一対の主配線４００４および４００５と、主配線４００５に挿入されたシャント抵抗４００３と、電源部４００７と、電力検出部４０１０と、通信モジュール４０２０と、アンテナ４０３０とを含む。
【００６６】
電力検出部４０１０は、プラグ４００２からソケット４００１へ流れる電力を検出する。より具体的には、電力検出部４０１０は、電圧入力ＡＤＣ（Analog to Digital Converter：アナログ・デジタル変換器）４０１１と、電流入力ＡＤＣ４０１２と、乗算器４０１３と、デジタル／周波数変換部４０１４とを含む。
【００６７】
電圧入力ＡＤＣ４０１１は、配線Ｖ１ＰおよびＶ１Ｎを介して、主配線４００４および４００５にそれぞれ接続される。電圧入力ＡＤＣ４０１１は、主配線間に生じる電圧（電位差）を示すデジタル信号を乗算器４０１３へ出力する。
【００６８】
電流入力ＡＤＣ４０１２は、配線Ｖ２ＰおよびＶ２Ｎを介して、主配線４００５に挿入されたシャント抵抗４００３の両端と電気的に接続される。シャント抵抗４００３は、流れる電流値を測定するために使われる微小な（数百マイクロΩ）抵抗である。電流入力ＡＤＣ４０１２は、シャント抵抗４００３に流れる電流の電流値を示すデジタル信号を乗算器４０１３へ出力する。
【００６９】
乗算器４０１３は、電圧入力ＡＤＣ４０１１からのデジタル信号（電圧値）と、電流入力ＡＤＣ４０１２からのデジタル信号（電流値）とを乗算し、その結果得られた値（消費電力／単位：ＷまたはｋＷ）を示すデジタル信号をデジタル／周波数変換部４０１４へ出力する。
【００７０】
デジタル／周波数変換部４０１４は、乗算器４０１３からのデジタル信号を周波数信号に変換し、その結果得られた周波数信号を通信モジュール４０２０へ出力する。
【００７１】
電源部４００７は、測定器４００の各コンポーネントに電力を供給する。電源部４００７は、主配線４００４および４００５に接続され、プラグ４００２からソケット４００１へ流れる電力の一部を測定器４００の動作用の電力として利用する。電源部４００７は、交流電力を直流電力に変換した後、その直流電力を電力検出部４０１０および通信モジュール４０２０へ供給する。
【００７２】
通信モジュール４０２０は、電力検出部４０１０により算出されたソケット４００１に接続されている電気機器における消費電力を示す無線信号を、アンテナ４０３０を介して送出する。より具体的には、通信モジュール４０２０は、ＣＰＵ４０２１と、ＲＯＭ４０２２と、ＲＡＭ４０２３と、ＧＰＩＯ（General Purpose Input/Output）４０２４と、無線ＲＦ（Radio Frequency）部４０２５とを含む。
【００７３】
ＧＰＩＯ４０２４は、デジタル／周波数変換部４０１４から入力された周波数信号を受信し、その周波数信号の情報をＣＰＵ４０２１へ出力する。
【００７４】
ＣＰＵ４０２１は、ＧＰＩＯ４０２４からの周波数信号の情報を所定のロジックに従ってデータ変換し、その結果を無線ＲＦ部４０２５へ出力する。無線ＲＦ部４０２５は、ＣＰＵ４０２１からのデータ変換結果に基づいて搬送波を変調することで、無線信号を生成する。無線ＲＦ部４０２５で生成された無線信号は、アンテナ４０３０を介して、送信される。
【００７５】
ＣＰＵ４０２１は、ＲＯＭ４０２２に予め格納されているプログラムを実行することで、上述のような処理を実現する。ＲＡＭ４０２３は、ＣＰＵ４０２１によるプログラムの実行に必要なワークデータを格納する。
【００７６】
＜測定情報＞
測定器４００は、基本的には接続されている電気機器で消費される消費電力（単位：ＷまたはｋＷ））を測定する。この消費電力を所定時間に亘って積算することで、当該電気機器の消費電力量（単位：ＷｈまたはｋＷｈ）が算出される。
【００７７】
ホームコントローラ１００は、それぞれの電気機器における消費電力および消費電力量のいずれをも表示することが可能である。さらに、ホームコントローラ１００は、それら電気機器の消費電力の合計（すなわち電力システム１全体の消費電力）、および電力システム１の消費電力の内訳を表示することが可能である。なお、ホームコントローラ１００は、複数の電気機器をグルーピング化して、そのグループ全体についての消費電力および消費電力量を表示してもよい。
【００７８】
そのため、測定器４００から送信される対応する電気機器２００についての測定情報の実装例としては、例えば、以下のようになる（但し、以下の例に限られるものではない）。
【００７９】
（１）  測定器４００が電気機器２００における消費電力を所定周期ごと（例えば、１秒ごと）に測定し、当該測定周期と同じ送信周期で、その測定された消費電力を測定情報として送信する。
【００８０】
（２）  測定器４００が電気機器２００における消費電力を所定周期ごと（例えば、１秒ごと）に測定し、当該測定周期よりは長い送信周期で、前回の送信から今回の送信までの間に測定された複数の消費電力を測定情報として送信する。
【００８１】
（３）  測定器４００が電気機器２００における消費電力を所定周期ごと（例えば、１秒ごと）に測定し、当該測定周期よりは長い送信周期で、前回の送信から今回の送信までの間に測定された複数の消費電力を平均して得られた平均消費電力を測定情報として送信する。
【００８２】
（４）  （２）または（３）において、前回の送信から今回の送信までの間に測定された複数の消費電力を積算した消費電力量を測定情報に付加した上で送信する。さらに、複数の消費電力の平均値・最小値・最大値などを付加してもよい。
【００８３】
測定情報には、測定器４００が何らかの手段で取得した時刻情報を付加してもよいが、一般的には、ホームコントローラ１００が測定情報を受信すると、そのときの時刻を時計１１２より取得し、受信した測定情報と関連付けてハードディスク１０９に格納する。
【００８４】
ホームコントローラ１００と測定器４００との間での測定情報の遣り取りについては、任意のプロトコルを採用することができる。典型的には、測定器４００が自身の測定した測定結果を含むパケットをブロードキャストし、ホームコントローラ１００がこのパケットを受信する構成が採用される。但し、ホームコントローラ１００がそれぞれの測定器４００に対して定期的にポーリングするようにしてもよい。
【００８５】
次に、ホームコントローラ１００による電力情報の表示に関する各実施の形態を説明する。以下に説明する画面を表示するために必要な各種の情報およびデータは、ハードディスク１０９あるいは外部のサーバに格納される。以下ではデータの格納場所であるハードディスク１０９あるいは外部のサーバを「ハードディスク１０９」と総称する。
【００８６】
ＣＰＵ１０１はハードディスク１０９に記憶された情報を用いてディスプレイ１０３を制御する。これにより、以下に説明する画面がディスプレイ１０３の表示面に表示される。
【００８７】
［実施の形態１］
図６は、実施の形態１に従う、ホームコントローラ１００の表示を説明する図である。図６を参照して、ホーム画面５００は、カレンダー表示領域５０１と、月表示領域５０２と、スクロールボタン表示領域５０３と、当日情報表示領域５０４とを有する。
【００８８】
カレンダー表示領域５０１において、カレンダーが表形式で表示される。デフォルトではカレンダー表示領域５０１に今月のカレンダーが表示される。
【００８９】
月表示領域５０２には、ホーム画面に表示されるカレンダーの年および月が表示される。スクロールボタン表示領域５０３には、表示されるカレンダーを変更するため複数のボタンが表示される。これらのボタンはユーザにより操作される。具体的には、スクロールボタン表示領域５０３には、当月ボタン５０３ａと、来月移動ボタン５０３ｂと、昨月移動ボタン５０３ｃと、来年移動ボタン５０３ｄと、昨年移動ボタン５０３ｅとが表示される。
【００９０】
当日情報表示領域５０４には、今日に関する情報が表示される。なお、その日の予定に関する情報が登録されている場合には、その予定も当日情報表示領域５０４に表示される。当日情報表示領域５０４にスケジュールをスクロール表示させてもよい。当月と異なる月のカレンダーが表示されている場合には、当日情報表示領域５０４には、何も表示されない。
【００９１】
カレンダーは２次元表（縦、横に日付が並べられた表）の形式で表示される。したがって、カレンダー表示領域５０１は、２次元に配置された複数の日付表示領域５１０を含む。図６は、当日（今日）が２０１２年１２月２５日である例を示す。当日に対応する日付表示領域５１０を示すため、たとえば、その表示領域は太線の枠で囲まれる。
【００９２】
前日以前の日に対応する日付表示領域５１０には背景色が設定される。背景色は、その日における節電の実績を表す実績情報を表現する。すなわち、前日以前の日に対応する日付表示領域５１０は、実績情報を示す色で塗られている。なお、「前日以前」との用語は、前日を含む。「当日以後」との用語は、当日を含む。
【００９３】
一方、当日から月末までの日に対応する日付表示領域５１０の背景色は、たとえば白色に設定される。また、当月以外の月（図５の例では、２０１２年１１月および２０１３年１月）の日付に対応する表示領域の背景色は、たとえばグレーである。
【００９４】
図６に示された例では、２０１２年１２月１日から２０１２年１２月２４日までの複数の日付の各々における実績情報に基づいて、日付表示領域５１０が色分けされる。実績情報は節電の度合い（レベル）を示している。この実施の形態では、実績情報は、消費電力量の基準に対する、実際の消費電力量の比率として定義される。なお、図６および以後説明する図面においては、背景色をハッチングによって表現する。異なるハッチングは、異なる色を意味する。
【００９５】
この実施の形態では、節電の度合いを示す背景色は、緑、黄緑、黄、赤の４つである。各背景色は、緑色は、最も高い節電の度合いを示す。赤色は、最も低い節電の度合いを示す。
【００９６】
各背景色は、節電の度合い（実績情報の値）と対応づけられる。たとえば緑色は、節電の度合いが１５％以上であることを示す。黄緑は、節電の度合いが５％以上１５％未満であることを示す。黄色は、節電の度合いが−５％以上５％未満であることを示す。赤色は、節電の度合いが−５％未満であることを示す。図６に示された例では、表示領域５１０ａ（２０１２年１２月６日）の背景色が緑であり、表示領域５１０ｂ（２０１２年１２月８日）の背景色が黄緑であり、表示領域５１０ｃ（２０１２年１２月７日）の背景色が黄であり、表示領域５１０ｄ（２０１２年１２月１５日）の背景色が赤である。
【００９７】
上記の背景色の種類、背景色の数などは一例であって、本発明を限定するものではない。ただし背景色の数が多くなると、ユーザにとってカレンダーが見にくくなるので、日ごとの節電度合いの違いがユーザにとって分かりにくい。また、背景色の数が少なくなると節電度合いを大まかにしか示すことができないので、ユーザに省エネを促す効果が弱くなる可能性がある。背景色の数、および背景色と節電の度合いとの対応付けは、たとえばこれらの点を考慮して設定される。
【００９８】
節電の度合い（実績情報）を算出するための基準は、さまざまな方法によって設定可能である。以下に消費電力量の基準を例示する。以下の例のうちの１つのみが採用されてもよく、ユーザが基準を任意に変更可能であってもよい。
【００９９】
１つの例では、たとえばユーザにより目標値が入力される。この目標値が基準の消費電力量となる。
【０１００】
別の例では、過去の実績が基準の消費電力量に設定される。たとえば、前年同月の同じ週の同じ曜日における実績情報が基準の消費電力量に設定される。
【０１０１】
前年と今年では、同月同日に対応する曜日がずれる。したがって、たとえば今日が平日（たとえば月曜日）であっても、前年の同月同日は休日（たとえば日曜日）である場合がある。生活スタイルなどの理由によって、日曜日と月曜日とでは、消費電力量により違いが生じやすくなる可能性がある。この実施の形態では、前年同月の同じ週の同じ曜日における実績情報を基準の消費電力量に設定する。これにより、同じような電気機器の使用状況を前提として、消費電力量を比較することができる。
【０１０２】
さらに別の例では、同様の家族構成を有する家庭の消費電力量の実績を基準の消費電力量として用いることができる。たとえば、電力システム１が設置された家庭の消費電力量が外部のサーバに収集される。ホームコントローラ１００は、外部のサーバにアクセスして、たとえば同じ地域の同様の家族構成を有する家庭の消費電力量のデータを取得する。このデータが基準の消費電力量として用いられる。複数の家庭の消費電力量の平均値を基準の消費電力量とすることがより好ましい。
【０１０３】
日付表示領域５１０には、天気アイコン５１２が表示される。天気アイコン５１２は、その天気アイコン５１２が配置された日付表示領域５１０に対応する日の天気を示す。行動ログアプリケーション（後述）において天気の情報が入力されている場合には、その情報に対応した天気アイコン５１２が日付表示領域５１０に表示される。一方、天気の情報が行動ログアプリケーションに入力されていない場合には、天気予報の情報に対応した天気アイコン５１２が日付表示領域５１０に表示される。
【０１０４】
当日およびそれ以後の日付の表示領域には、天気予報の情報に対応した天気アイコン５１２が表示される。ユーザが前日以前の日付の天気の情報をホームコントローラ１００に入力する。天気情報がホームコントローラ１００に入力された場合、天気予報の情報は、ユーザが入力した情報へと更新される。
【０１０５】
さらに、ユーザが、前日以前の日付に対応する日付表示領域５１０を選択して、行動ログアプリケーションでログを入力すると、その日付に対応する日付表示領域５１０に、ログアイコン５１４が表示される。ユーザが当日以後の日付に対応する日付表示領域５１０を選択して、その日のスケジュールを予め入力すると、その日付に対応する日付表示領域５１０に、スケジュールアイコン５１６が表示される。
【０１０６】
実施の形態１によれば、その日の節電の実績に従って、カレンダーが色分け表示される。色によって節電の度合いを表現することにより、節電の実績をユーザに視覚的に印象付けることができる。さらに、ユーザは節電の度合いの推移も容易に把握することができる。
【０１０７】
以下にカレンダーの色分けパターンについての複数の例を説明する。図７は、節電効果が高い場合のカレンダーの色分けパターンを示した図である。図８は、節電効果が中程度の場合のカレンダーの色分けパターンを示した図である。図９は、節電効果が低い程度の場合のカレンダーの色分けパターンを示した図である。
【０１０８】
図７から図９を参照して、節電効果が高い場合には（節電実績が高い日が多い場合）、緑色の表示領域および黄緑色の表示領域が相対的に多くなる。一方、節電効果が低い場合には、黄色の表示領域および赤色の表示領域が相対的に多くなる。黄色の表示領域および赤色の表示領域が多いことをユーザに示すことで、たとえば、節電に取り組むきっかけをユーザに与えることができる。緑色の表示領域および黄緑色の表示領域が多いことを示すことで、節電の取組みを持続するようにユーザに促すことができる。したがって省エネに対するユーザの関心を高めることができるとともに、その関心を持続させることができる。
【０１０９】
さらに、日付表示領域５１０には、天気情報を示すアイコン（天気アイコン５１２）が表示される。これにより、ユーザは、節電の実績と天気との間の相関を知ることができる。したがってユーザは、今日あるいは明日の天気情報（天気予報）を考慮した上で、節電度合いを高める（あるいは高い節電の度合いを維持する）よう取組むことができる。なお、天気情報は、晴れ、雨といったその日の天気に限定されず、天気に関連する他の情報を含めてもよい。たとえば、天気に加えて、その日の最高気温および最低気温が日付表示領域５１０に表示されてもよい。
【０１１０】
さらに、カレンダーは、ホーム画面に表示される。ユーザが今日の日付あるいは予定を確認するため、ユーザがカレンダーを見る機会は比較的多いと考えられる。この実施の形態では、ユーザがスケジュールを確認する際に、ユーザが直感的に節電の実績を把握できる。これにより、ユーザの節電を促す効果を奏することができる。
【０１１１】
図１０は、ホームコントローラ１００の画面遷移を説明するための図である。図１０を参照して、ホーム画面５００から、過去ログ画面６００、行動ログ画面７００およびスケジュール画面８００へと遷移することができる。過去ログ画面６００、行動ログ画面７００およびスケジュール画面８００は、ホーム画面５００を経由せずに相互に遷移可能であってもよい。
【０１１２】
ホーム画面５００には、図６に示したカレンダーが表示される。過去ログ画面６００は、ユーザが記録した情報（以下、「ログ」とも呼ぶ）および電力データを閲覧するための画面である。なお、ログの記録がない場合には、過去ログ画面６００には、その日の電力データのみが表示される。
【０１１３】
行動ログ画面７００は、ログをユーザが記入するための画面である。行動ログアプリケーションを用いてユーザが行動ログ画面７００にログを入力する。入力されたログは、たとえばハードディスク１０９（図３参照）に格納されるとともに、過去ログ画面６００において表示される。
【０１１４】
スケジュール画面８００は、ユーザが予定を記入するための画面である。記入されたスケジュールは、たとえばハードディスク１０９（図３参照）に格納されるとともに、閲覧用のスケジュール画面において表示される。
【０１１５】
ユーザがホーム画面５００に表示されたカレンダーの日付を選択すると、ホーム画面５００から過去ログ画面６００、行動ログ画面７００、またはスケジュール画面８００へと遷移する。画面を遷移させるための操作は特に限定されない。
【０１１６】
たとえばユーザがログアイコン５１４に触れることにより、ホーム画面５００が過去ログ画面６００へと遷移する。たとえばユーザがスケジュールアイコン５１６に触れることにより、ホーム画面５００がスケジュール画面８００へと遷移する。これらの操作はユーザによる日付の選択に該当する。たとえば前日以前の日付の日付表示領域５１０をユーザが長く触れることにより、ホーム画面５００が行動ログ画面７００へと遷移する。
【０１１７】
遷移後の画面からホーム画面５００に戻るための操作は特に限定されるものではない。たとえば、各画面においてユーザの操作が一定時間以上ない場合、タッチパネル１０２のディスプレイ１０３は、節電のために、一旦非表示となる。次にユーザがタブレット１０４を操作した場合、ディスプレイ１０３の画面は、元の画面からホーム画面５００へと遷移する。
【０１１８】
あるいは、各画面にホームボタンを配置し、ユーザがホームボタンを操作した場合に、元の画面からホーム画面５００へと遷移してもよい。あるいは、図３に示した操作ボタン１０５をユーザが操作すると、現在の画面からホーム画面５００へと遷移してもよい。
【０１１９】
なお、本明細書では、カレンダーが表示される画面を「ホーム画面」と呼んでいる。カレンダーが表示される画面の名称は限定されない。たとえばホーム画面と同様の画面を「トップ画面」と呼んでもよい。「ホーム画面」は、たとえばユーザのログイン時に、ホームコントローラ１００に最初に表示される画面であってもよい。
【０１２０】
続いて、ホーム画面から遷移された各画面について説明する。
図１１は、過去ログの画面の一例を示した図である。図１１を参照して、過去ログ画面６００は、日付表示領域６０２と、ログ表示領域６０４と、天気表示領域６０６と、電力量データ表示領域６０８と、行動ログ表示領域６１０とを含む。
【０１２１】
日付表示領域６０２には、カレンダーで選択された日付（年月日）が表示される。ログ表示領域６０４には、一行日記が表示される。一行日記とは、１行程度の少ない文字数のテキスト（絵文字を含んでもよい）である。ユーザは行動ログ画面（後述）を通じて一行日記を入力する。その入力された一行日記（すなわちログ）がログ表示領域６０４に表示される。天気表示領域６０６には、その日の天気情報がたとえばアイコンとして表示される。天気情報は、文字によって表示されてもよい。
【０１２２】
電力量データ表示領域６０８には、カレンダーで選択された日付の１時間ごとの消費電力量がグラフ表示される。たとえば１時間ごとの消費電力量および、その消費電力量の内訳が棒グラフによって示される。さらに、電力システム１全体の１時間ごとの消費電力量の変化が折れ線グラフによって示される。
【０１２３】
グラフ中に示されている電気機器は、測定器４００が取り付けられた電気機器である。その電気機器の消費電力量に関する情報が測定器４００を通じてホームコントローラ１００へ送られる。ホームコントローラ１００は、測定器４００からの情報を収集する。この情報は、たとえばハードディスク１０９あるいは外部のサーバに保存される。過去ログ画面が呼び出されたときに、ホームコントローラ１００（ＣＰＵ１０１）は、その情報に基づいて消費電力量をグラフ表示する。
【０１２４】
行動ログ表示領域６１０には、カレンダーで選択された日の行動、および、その行動の時間帯が表示される。行動の種類に応じて時間帯が色分けされる。
【０１２５】
また、ユーザが、カレンダーの複数の日付にそれぞれ対応する複数の日付表示領域５１０を選択した場合、ホーム画面は、それらの日付に対応する過去ログの画面へと遷移する。たとえばユーザが複数の日付表示領域５１０に同時に触れる（マルチタップ）ことにより、ホーム画面が過去ログの画面へと遷移する。過去ログ画面では複数の日付の電力データがグラフにより表現される。
【０１２６】
図１２は、複数の日付がユーザによって選択された場合の過去ログ画面の例を示した図である。図１２を参照して、たとえば異なる２つの日付（２０１２年１２月９日と２０１２年１２月１５日）がユーザにより選択される。過去ログ画面６００は、選択された日付に対応する電力量データ表示領域および行動ログ表示領域を有する。具体的には、過去ログ画面６００は、電力量データ表示領域６０８ａ，６０８ｂと、行動ログ表示領域６１０ａ，６１０ｂとを含む。
【０１２７】
電力量データ表示領域６０８ａおよび行動ログ表示領域６１０ａは、選択された２つの日付のうちの一方（たとえば２０１２年１２月９日）の消費電力量データおよび行動を表示する。電力量データ表示領域６０８ｂおよび行動ログ表示領域６１０ｂは、選択された２つの日付のうちの他方（たとえば２０１２年１２月１５日）の消費電力量データおよび行動を表示する。
【０１２８】
なお、図１２では、選択された日付の数が２つである場合の過去ログ画面の例が示されている。ただし、選択可能な日付の数は２に限定されず、３以上であってもよい。
【０１２９】
このように、この実施の形態では、カレンダー上の任意の過去の日付をユーザが選択すると、ホーム画面は、選択された日付に対応する過去ログの画面に遷移する。過去ログ画面では、その選択された日付に対応する電力量データと行動ログと天気情報とが表示される。ユーザは、過去のある日の節電度合いと、その日の行動とを関連付けることができる。したがってユーザは、その日に達成された節電度合いの原因を分析することができる。たとえばユーザは、外出時間が長かったことが、節電度合いが高くなった原因であると把握することができる。あるいは、外出あるいは就寝にもかかわらず、節電度合いが低い場合には、ユーザは、たとえば、外出中あるいは就寝中に電化製品が動いていたことが、節電度合いの低下の原因であると判断することができる。
【０１３０】
さらに、この実施の形態では、カレンダー上の複数の過去の日付をユーザが選択すると、選択された複数の日付に対応する電力量データが過去ログ画面に表示される。ユーザは、たとえば、節電度合いが高い日と節電度合いが低い日とを比較して、節電度合いが低い理由を分析することができる。また、ユーザが、たとえば、節電度合いが低い２つの日を選択することで、節電度合いの低下につながる共通の要因を分析することが可能である。逆にユーザが、たとえば、節電度合いが高い２つの日を選択することで、節電度合いを向上させる共通の要因を分析することが可能である。これらの分析によって、ユーザがより省エネの生活を過ごすことを可能にする。
【０１３１】
さらに、この実施の形態によれば、カレンダーの日付表示領域５１０には、過去ログ（１行日記）の登録を示すログアイコン５１４が表示される。これによりユーザは、ある過去の日付における出来事が１行日記として記録されているかどうかを把握することができる。
【０１３２】
なお、ログアイコン５１４が表示されていない（１行日記が登録されていない）場合であっても、カレンダーの日付が選択されることにより、過去ログ画面が呼び出されて、その日付に対応する電力量データが過去ログ画面に表示される。
【０１３３】
図１３は、行動ログ画面の一例を示した図である。図１３を参照して、行動ログ画面７００は、日付表示領域７０２と、ログ記録領域７０４と、天気記録領域７０６と、行動表示領域７２０とを含む。
【０１３４】
日付表示領域７０２には、カレンダーから選択された日付が表示される。なお、行動ログ画面７００が呼び出された後で、ユーザが日付表示領域７０２を操作することにより、行動ログの日付を変更してもよい。
【０１３５】
ログ記録領域７０４は、ユーザが内容を自由に記録するための領域である。
天気記録領域７０６は、ユーザが天気を記録するための領域である。図１３に示した例では、天気記録領域７０６に文字によって天気の情報が記録される。ただし、アイコンが選択されることで天気の情報が記録されてもよい。この場合には選択されたアイコンが天気記録領域７０６に表示される。また、過去ログ画面６００の天気表示領域６０６には、天気記録領域７０６に記録された天気情報に対応したアイコンが表示される。天気記録領域７０６に文字によって天気情報が記録される場合、たとえば「晴れ」、「曇り」、「雨」などの天気に関するキーワードに基づいて、過去ログ画面６００の天気表示領域６０６に表示されるアイコンが決定される。
【０１３６】
行動表示領域７２０は、選択された日のユーザの行動を表示するための領域である。ユーザは、行動ログ画面７００中に配置された各種のボタンを操作して、行動を記録する。図１３に示された例では、外出ボタン７０８、洗濯ボタン７１０、料理ボタン７１２、洗い物ボタン７１４および掃除ボタン７１６が、行動ログ画面７００に配置される。ユーザが外出ボタン７０８を選択すると、外出マーカ７２１および帰宅マーカ７２２が行動表示領域７２０のデフォルトの位置に表示される。ユーザは、外出マーカ７２１および帰宅マーカ７２２の一方または両方をスライドさせることによって、外出期間を入力する。
【０１３７】
同様に、ユーザが洗濯ボタン７１０、料理ボタン７１２、洗い物ボタン７１４および掃除ボタン７１６をそれぞれ選択すると、洗濯マーカ７２３、料理マーカ７２４、食器マーカ７２５および掃除マーカ７２６がそれぞれ表示される。なお、「洗濯」は衣服の洗浄を意味し、「洗い物」は食器の洗浄を意味する。ユーザは、各行動に対応するマーカをスライドさせて一日の行動を記録する。マーカは、たとえば毎時０分、１５分、３０分および４５分に対応する位置に移動可能である。
【０１３８】
さらに、終了ボタン７３２および登録ボタン７３４が、行動ログ画面７００に配置される。ユーザが終了ボタン７３２を操作すると、行動ログアプリケーションが終了する。終了前に、記録内容を保存するかどうかが問い合わされる。記録内容を保存する場合、ユーザは、登録ボタン７３４を操作する。これにより、行動ログ画面で記録された内容が外部のサーバまたはハードディスク１０９に保存される。
【０１３９】
図１４は、スケジュール画面８００の一例を示した図である。ユーザが、スケジュールアイコン５１６に触れることによって、スケジュール画面８００が呼び出される。スケジュールアイコン５１６は、今日およびそれ以後の日に対応する日付表示領域５１０に表示される。
【０１４０】
図１４を参照して、スケジュール画面８００は、日付表示領域８０２と、スケジュール表示領域８０４とを有する。日付表示領域８０２には、選択された日が表示される。
【０１４１】
スケジュール表示領域８０４は、時刻表示領域８０６と、ユーザ表示領域８０８と、スケジュール表示領域８１０と、アイコン表示領域８１２とによって構成される。時刻表示領域８０６には、予定時刻が表示される。スケジュール画面８００は、スケジュールを閲覧するための画面である。
【０１４２】
ユーザ表示領域８０８には、スケジュールの登録者が表示される。表示される名称は、たとえば電力システム１に登録されたユーザ名である。
【０１４３】
スケジュール表示領域８１０には、スケジュール編集画面（後述）において編集および登録されたスケジュールが表示される。アイコン表示領域８１２には、そのスケジュール編集画面において登録されたアイコンが表示される。
【０１４４】
予定時刻の早い順に複数のスケジュールがスケジュール表示領域８０４の上から下へと並べて表示される。スケジュールが表示された領域にユーザが触れると、スケジュール編集画面が呼び出される。なお、スケジュールアイコン５１６が表示されていないカレンダーの日付（今日およびそれ以後の日）を選択した場合にも、スケジュール編集画面が呼び出される。
【０１４５】
図１５は、スケジュール編集画面の例を示した図である。図１５を参照して、スケジュール編集画面８００Ａは、日付表示領域８２２と、スケジュール記録領域８２４と、開始時刻記入領域８２６と、記入者登録領域８２８と、アイコン登録領域８３２とを含む。
【０１４６】
日付表示領域８２２には、選択された日付が表示される。スケジュール記録領域８２４には、スケジュールがテキストで記入される。
【０１４７】
開始時刻記入領域８２６には、そのスケジュールの開始予定時刻が記入される。
記入者登録領域８２８には、スケジュールの記入者が登録される。記入者は、電力システム１に登録されたユーザ名の中から選択されてもよい。
【０１４８】
アイコン登録領域８３２には、スケジュールの記入者に対応したアイコンが登録される。たとえばユーザ名と対応付けられたアイコンがアイコン登録領域８３２に呼び出される。ユーザ名と対応付けられたアイコンが無い場合には、デフォルトのアイコンが登録される。
【０１４９】
さらに、登録ボタン８４２およびキャンセルボタン８４４が、スケジュール編集画面８００Ａに配置される。ユーザが登録ボタン８４２を操作すると、スケジュール編集画面８００Ａで記録された内容が外部のサーバまたはハードディスク１０９に保存される。ユーザがキャンセルボタン８４４を操作すると、スケジュール編集画面８００Ａで記録された内容が破棄される。なお、登録ボタン８４２およびキャンセルボタン８４４の操作後は、たとえばスケジュール編集画面８００Ａはスケジュール画面８００（スケジュール閲覧用の画面）へと遷移する。
【０１５０】
＜ホームコントローラ１００の表示処理＞
図１６は、実施の形態１に従うホームコントローラ１００の表示処理を説明するフロー図である。当該処理は、主にＣＰＵ１０１がメモリ１１０およびハードディスク１０９に格納されているデータに基づいてディスプレイ１０３等と協働して実行する処理である。以下に説明するフローについても同様である。
【０１５１】
図１６を参照して、まず、ステップＳ２において、ＣＰＵ１０１は、カレンダーによって表示される期間を決定する。たとえばＣＰＵ１０１は、今日の日付についての情報を取得する。ＣＰＵ１０１は、その情報に基づいて、今月の１カ月間をカレンダーによって表示される期間として決定する。スクロールボタン表示領域５０３に配置された操作ボタンがユーザによって操作された場合には、その操作に応じてＣＰＵ１０１は表示される期間（たとえば先月に相当する１カ月の期間）を決定する。
【０１５２】
ステップＳ４において、ＣＰＵ１０１は、節電度合いの情報を取得する。ステップＳ２で決定された期間内の今日以前の日について、ＣＰＵ１０１はハードディスク１０９から節電度合いの情報を取得する。たとえばハードディスク１０９には、基準の消費電力量の値と、実際の消費電力量の値とが格納される。ＣＰＵ１０１は、ハードディスク１０９からそれらの値を取得して、節電度合いを算出する。これによりＣＰＵ１０１は節電度合いの情報（すなわち実績情報）を取得する。
【０１５３】
ステップＳ６において、ＣＰＵ１０１は、取得された節電度合いの情報に基づいてカレンダー表示処理を実行する。
【０１５４】
図１７は、図１６に示されたカレンダー表示処理について説明するフロー図である。図１７を参照して、ステップＳ１２において、ＣＰＵ１０１は、節電度合いに基づいて、各日の日付表示領域５１０の背景色を決定する。上記のように、背景色として、緑、黄緑、黄、赤の４色が予め準備される。各色は、節電度合いの値と対応付けられる。ＣＰＵ１０１は、上記の４色の中から、節電度合いに対応する背景色を決定する。
【０１５５】
ステップＳ１４において、ＣＰＵ１０１は、天気情報を取得する。ＣＰＵ１０１は、今日およびそれ以後の日の天気情報を天気予報から取得する。一方、ＣＰＵ１０１は、前日およびそれ以前の日の天気情報を過去ログに登録されている情報から取得する。
【０１５６】
ステップＳ１６において、ＣＰＵ１０１は、取得された天気情報に基づいて、各日の日付表示領域５１０に表示される天気アイコン５１２を決定する。
【０１５７】
ステップＳ１８において、ＣＰＵ１０１は、前日およびそれ以前の日の過去ログの有無を判定する。ステップＳ２０において、ＣＰＵ１０１は、ログアイコン５１４が表示される日付を決定する。ある日付の過去ログが有ると判定された場合、ＣＰＵ１０１は、その日付の表示領域にログアイコン５１４を配置することを決定する。一方、ある日付の過去ログが無い場合には、ＣＰＵ１０１は、その日付の表示領域にはログアイコンを配置しないことを決定する。
【０１５８】
ステップＳ２２において、ＣＰＵ１０１は、今日およびそれ以後の日のスケジュールの有無を判定する。ステップＳ２４において、ＣＰＵ１０１は、スケジュールアイコン５１６が表示される日付を決定する。ステップＳ２２，Ｓ２４の処理は、ステップＳ１８，Ｓ２０の処理と同様であるので以後の詳細な説明は繰り返さない。
【０１５９】
ステップＳ２６において、ＣＰＵ１０１は、ディスプレイ１０３に各日を表示する。各日の日付表示領域５１０は、ステップＳ１２の処理によって決定された背景色で表示される。さらに、日付表示領域５１０の各々には、ステップＳ１６の処理によって決定された天気アイコン５１２が配置される。さらに、登録された過去ログあるいは登録されたスケジュールがある場合には、その登録された過去ログあるいはスケジュールを示すログアイコン５１４あるいはスケジュールアイコン５１６が、対応の日付表示領域５１０に表示される。
【０１６０】
なお、ステップＳ１２〜Ｓ２４の処理の順序は図１７に示されるように限定されるものではない。これらの処理の順序が適宜入れ替えられてもよい。あるいは複数の処理が並行して実行されてもよい。
【０１６１】
このように実施の形態１によれば、ＣＰＵ１０１は、カレンダーに表示される日における電気機器の節電の実績を表す実績情報（節電度合いの情報）を取得する。ＣＰＵ１０１は、カレンダーの各日に対応するディスプレイ１０３の表示領域を、複数の表示色のうちの実績情報に対応した表示色で表示する。これにより、節電度合いを、ユーザに視覚的に印象付けることができる。さらに日毎の節電度合いが色の分布としてディスプレイ１０３に表示される。これにより、ユーザに節電を促すことができる。
【０１６２】
さらに、ユーザがカレンダーを見る機会が多いことが期待できる。カレンダーに節電実績が関連付けられて表示される。したがって、ユーザの節電度合いに対する関心を継続させることができる。
【０１６３】
［実施の形態２］
実施の形態２は、カレンダーが表示される画面の構成の点において実施の形態１と異なる。電力システムの構成は、実施の形態１と同様であるので以後の説明を繰り返さない。
【０１６４】
図１８は、実施の形態２に従う、ホームコントローラ１００の表示を説明する図である。図６および図１８を参照して、実施の形態２に従うホーム画面５００は、ランチャー画面として構成される。具体的には、実施の形態２に従うホーム画面５００は、図５に示された構成に加えて、操作ボタン表示領域５２０およびメッセージ表示領域５３０を含む。
【０１６５】
操作ボタン表示領域５２０には、グラフ表示ボタン５２２、カレンダー表示ボタン５２４、行動ログボタン５２６およびスケジュールボタン５２８が配置される。なお、図１８に示されるように、これら以外の操作ボタンが配置されていてもよい。
【０１６６】
図１９は、実施の形態２に従うホーム画面５００の構成を説明した模式図である。図１９を参照して、ホーム画面５００は、カレンダー、過去ログ、行動ログおよびスケジュールを表示するための表示領域５５０を含む。図１０に示した画面遷移に従って、表示領域５５０に各アプリケーションの画面が表示される。ユーザが、グラフ表示ボタン５２２を操作することで、過去ログの画面が表示領域５５０に表示される。同様に、ユーザが、カレンダー表示ボタン５２４、行動ログボタン５２６およびスケジュールボタン５２８の各々を操作することで、対応するアプリケーションの画面が表示領域５５０に表示される。
【０１６７】
実施の形態２では、実施の形態１と同じカレンダー表示処理が実行される。したがって、実施の形態２によれば、実施の形態１と同様に、節電度合いを、ユーザに視覚的に印象付けることができる。
【０１６８】
［実施の形態３］
実施の形態１，２では、各日の節電度合いは、カレンダーの背景色によって表現される。実施の形態３では、実施の形態１，２に従う表示と異なる態様で各日の節電度合いが表示される。なお、電力システムの構成は、実施の形態１と同様であるので以後の説明を繰り返さない。
【０１６９】
図２０は、実施の形態３に従う、ホームコントローラ１００の表示を説明する図である。図６および図２０を参照して、各日の表示領域には、節電度合いの程度を示す記号として、二重丸（◎）、一重丸（○）、三角（△）、バツ（×）の４種類の記号が表示される。二重丸（◎）は、節電度合いが最も高いことを示し、バツ（×）は、節電度合いが最も低いことを示す。
【０１７０】
図２０に示された記号は節電度合いを表現するための例である。節電度合いの表現方法はこのように限定されるものではない。たとえば他の記号、絵（たとえばスタンプ、顔）など、節電度合いの違いを視覚的に理解しやすいものであれば、実施の形態３に従うカレンダー表示処理に適用することができる。
【０１７１】
実施の形態３によれば、背景色の表示と異なる表示方法によって、節電度合いをユーザに視覚的に印象付けることができる。
【０１７２】
上記の各実施の形態においては、カレンダーは、２次元表である。すなわち縦方向および横方向に日付表示領域が並べられる。しかしカレンダーは２次元表に限定されない。たとえばカレンダーは１次元表（たとえば縦一列に日付が並べられた表）であってもよい。さらに、カレンダーの表示形式が２次元表と１次元表との間で切換可能であってもよい。
【０１７３】
また、この実施の形態では、１カ月のカレンダーが表示される。ただし１週間のカレンダーが表示されてもよく、１カ月のカレンダーと１週間のカレンダーとの間で表示を切り換え可能であってもよい。さらに、１カ月のカレンダーを表示させる場合には、その１カ月の開始日および／または終了日をユーザが設定可能であってもよい。
【０１７４】
これらの各例の場合においても、各日の日付表示領域は、節電度合いに応じた態様で表示される。たとえば実施の形態１，２と同様に、節電度合いに応じた背景色で日付表示領域が表示される。あるいは、実施の形態３と同様に、背景色以外の表示態様（たとえば記号）で日付表示領域が表示される。
【０１７５】
また、上記の各実施の形態では、本発明の管理装置および表示装置の両方がホームコントローラによって実現される。ただし、本発明の表示装置はホームコントローラに限定されるものではない。たとえば、表示機能を有する携帯端末（たとえばスマートフォン）によって本発明の表示装置が実現されてもよい。上記の各実施の形態に係る表示を行なうためのアプリケーションを外部サーバからダウンロードして、スマートフォンにインストールする。これにより、スマートフォンは本発明の表示装置を実現できる。スマートフォンは、消費電力量の測定情報が記憶されている装置にアクセスすることにより、電力消費に関する情報を取得して、上記の各実施の形態に係る表示を行なう。
【０１７６】
今回開示された実施の形態はすべての点で例示であって制限的なものでないと考えられるべきである。本発明の範囲は上記した説明ではなくて特許請求の範囲によって示され、特許請求の範囲と均等の意味および範囲内でのすべての変更が含まれることが意図される。
【符号の説明】
【０１７７】
１  電力システム、１００  ホームコントローラ、１０１  ＣＰＵ、１０２  タッチパネル、１０３  ディスプレイ、１０４  タブレット、１０５  操作ボタン、１０６  通信インターフェイス、１０７  出力インターフェイス、１０８  入力インターフェイス、１０９  ハードディスク、１１０  メモリ、１１１  スピーカ、１１２  時計、２００  電気機器、２００Ａ  エアコン、２００Ｂ  テレビジョン、２００Ｃ  電子レンジ、２００Ｄ  冷蔵庫、２００Ｅ  照明器具、２００Ｘ  太陽光発電装置、２００Ｙ  蓄電池、２００Ｚ  パワーコンディショナ、２５０Ａ〜２５０Ｅ，４００２  プラグ、３００  データ格納装置、４００，４００Ａ〜４００Ｅ  測定器、４０１  ネットワーク、４０２  電力線、５００  ホーム画面、５０１  カレンダー表示領域、５０２  月表示領域、５０３  スクロールボタン表示領域、５０３ａ  当月ボタン、５０３ｂ  来月移動ボタン、５０３ｃ  昨月移動ボタン、５０３ｄ  来年移動ボタン、５０３ｅ  昨年移動ボタン、５０４  当日情報表示領域、５１０，６０２，７０２，８０２，８２２  日付表示領域、５１０ａ〜５１０ｄ，５５０  表示領域、５１２  天気アイコン、５１４  ログアイコン、５１６  スケジュールアイコン、５２０  操作ボタン表示領域、５２２  グラフ表示ボタン、５２４  カレンダー表示ボタン、５２６  行動ログボタン、５２８  スケジュールボタン、５３０  メッセージ表示領域、６００  過去ログ画面、６０４  ログ表示領域、６０６  天気表示領域、６０８，６０８ａ，６０８ｂ  電力量データ表示領域、６１０，６１０ａ，６１０ｂ  行動ログ表示領域、７００  行動ログ画面、７０４  ログ記録領域、７０６  天気記録領域、７０８  外出ボタン、７１０  洗濯ボタン、７１２  料理ボタン、７１４  洗い物ボタン、７１６  掃除ボタン、７２０  行動表示領域、７２１  外出マーカ、７２２  帰宅マーカ、７２３  洗濯マーカ、７２４  料理マーカ、７２５  食器マーカ、７２６  掃除マーカ、７３２  終了ボタン、７３４，８４２  登録ボタン、８００  スケジュール画面、８００Ａ  スケジュール編集画面、８０４，８１０  スケジュール表示領域、８０６  時刻表示領域、８０８  ユーザ表示領域、８１２  アイコン表示領域、８２４  スケジュール記録領域、８２６  開始時刻記入領域、８２８  記入者登録領域、８３２  アイコン登録領域、８４４  キャンセルボタン、９００  中継器、４００１  ソケット、４００３  シャント抵抗、４００４，４００５  主配線、４００７  電源部、４０１０  電力検出部、４０１１  電圧入力ＡＤＣ、４０１２  電流入力ＡＤＣ、４０１３  乗算器、４０１４  周波数変換部、４０２０  通信モジュール、４０２２  ＲＯＭ、４０２３  ＲＡＭ、４０２４  ＧＰＩＯ、４０２５  無線ＲＦ部、４０３０  アンテナ、４０４２  設定ボタン、４０５１，４０５３  表面、４０５２  側面、Ｖ１Ｐ，Ｖ２Ｐ  配線。
【図１】
2014052943.tif 000003
【図２】
2014052943.tif 000004
【図３】
2014052943.tif 000005
【図４】
2014052943.tif 000006
【図５】
2014052943.tif 000007
【図６】
2014052943.tif 000008
【図７】
2014052943.tif 000009
【図８】
2014052943.tif 000010
【図９】
2014052943.tif 000011
【図１０】
2014052943.tif 000012
【図１４】
2014052943.tif 000013
【図１５】
2014052943.tif 000014
【図１６】
2014052943.tif 000015
【図１７】
2014052943.tif 000016
【図１８】
2014052943.tif 000017
【図１９】
2014052943.tif 000018
【図２０】
2014052943.tif 000019
【図１１】
2014052943.tif 000020
【図１２】
2014052943.tif 000021
【図１３】
2014052943.tif 000022